(57)【要約】【課題】建造物の屋内鋼製天井に段差ができる際に上下天井をつなぐ下がり壁を施工するにあたって、作業性の向上を図り、熟練の作業員でなくとも短時間で容易に高精度の組み付け作業が行える部材の提供。【解決手段】本発明の下がり壁用野縁受１は、上下天井の段差程度の長さでビス止め用のリード穴のあいた平板部１ｂと上部天井のチャンネル２ａに吊り下げるためのハンガー部１ａとで構成される。下がり壁用野縁受１を上部天井のチャンネル２ａに吊り下げる事により仮止めした後、上下天井野縁受２ａ及び２ｂに固定して下がり壁用チャンネルの代わりと成し、下り壁用野縁４ｃを当部材に組み付ける事により下がり壁の下地を形成する。【選択図】図１
2009002129.tif 000002
【特許請求の範囲】
【請求項１】
上下に延びる帯状の金属板であって、開口部を横向きにして設置された軽溝形鋼である天井下地用チャンネルに仮固定することができる様に成型されたハンガー部と、下方に延びる平板部とで構成される下がり壁構成用金具。
【請求項２】
上記平板部に上端より１５ミリメートル程度下方から等間隔で孔を平板部全体に開けられた請求項１に記載の下がり壁構成用金具。
【発明の詳細な説明】
【技術分野】
【０００１】本発明は、高さの異なる二段の鋼製天井の段差を繋ぐ垂直の下がり壁を簡易な方法で正確に施工するための部材に関するものである。
【背景技術】
【０００２】［図２］において、一般的な天井の施工方法の一例を示している。一般的に天井は吊りボルト５にハンガー６でチャンネル２を取り付け、チャンネル２にダブル野縁３、シングル野縁４が留め付けられた状態を下地とし、指定された仕上げ材（図示せず）をビス等で固定して作られる。しかし［図３］のように天井８の仕上げレベルより下方に配管、配線類１０や鉄骨梁等が露出した状態で配置されている場合、その下方にもう一段天井９を組み、さらに上下段の天井間に垂直の下がり壁を作り、配管、配線類１０や鉄骨梁等を隠す必要がある。また段差のある天井は建造物の内装仕上げにおける飾り意匠的な意味合いで設計に用いられるため、多用される傾向がある。［図４］のような上下段の天井間に、垂直で不陸のない下がり壁を作るためには［図５］のように上段天井のチャンネル２ａと下段天井のチャンネル２ｂに天井用チャンネルと同材の下がり壁用チャンネル２ｃを溶接またはビスにて垂直に且つ各本の通りをよく留め付ける必要がある。しかし従来の方法で下がり壁用チャンネル２ｃを正確に留め付ける為には、上下段のチャンネル２ａ及び２ｂの両方に位置決め用通り墨１１を付け、位置決め用通り墨１１に合わせながら上下段のチャンネル２ａ及び２ｂに下がり壁用チャンネル２ｃを押し当てた状態で溶接またはビスでの留め付け作業を行わなければならない。
【発明の開示】
【発明が解決しようとする課題】
【０００３】通常、天井は高い位置にあり、作業の手元が高くなる上、仮設作業床上の作業となり足元が不安定な為、下がり壁用チャンネル２ｃを取り付けるべき位置に正確に留め付ける作業は非常に困難であった。［図５］のように下がり壁用チャンネル２ｃを正確に留め付ける為にはハンドバイス等で上下天井のチャンネル２ａ及び２ｂに付けた位置決め用通り墨１１に合わせて下がり壁用チャンネル２ｃを仮止めするか、上下天井のチャンネル２ａ及び２ｂに付けた位置決め用通り墨１１を見ながら位置を決めつつ、下がり壁用チャンネル２ｃを上下天井のチャンネル２ａ及び２ｂに押し当てるための補助作業員を要す事となり、非常に人工がかかりコスト面でも非効率である。【０００４】本発明は上記課題を解決するための下がり壁用野縁受である。
【課題を解決するための手段】
【０００５】［図６］から見てとれるように、本発明の下がり壁用野縁受１は上下に延びる帯状の金属板に一定間隔にビス止め用リード孔１ｃの開いた平板部１ｂと、平板部１ｂの上端をチャンネルに仮固定する為のハンガー部１ａとで構成される。従来ダブル野縁及びシングル野縁は軽溝形鋼である天井下地用チャンネルと同材に留め付けるものとされていたが、平板に留め付けることも可能である事から、より加工のしやすい平板を基材とした。ビス止め用リード孔１ｃの間隔は、野縁受として通常使用されるチャンネルの巾が３８ミリメートルであるため、下がり壁の高さに拘らず下部天井のチャンネルに二箇所のビス止めができるよう１５ミリメートル程度に設定した。［図７］に示すように、本発明の下がり壁用野縁受１をハンガー部１ａで上部天井のチャンネル２ａに吊り下げる事により仮固定ができる上、ビス止め用リード孔１ｃが開いている為、従来は困難であった下がり壁用チャンネルの留め付け作業を溶接作業なしに一人でも簡単に行えるようになる。
【発明の効果】
【０００６】建造物の構造によって形状・大きさに違いはあれ、通常下がり壁は室の端から端までの長さで作られる。本発明の部材を使用することにより、９００ミリメートル内外のピッチで下がり壁の水平方向の長さ分施工される下がり壁用野縁受の留め付け作業を、仮止めをする作業と本固定をする作業とに分割でき、それぞれの単純作業を連続して行う事によって作業が効率化される事により、下がり壁の全長が長くなる程、単位時間当たりの施工量の増加が見込める。さらに従来工法では留め付け作業を主に溶接で行っていた為、溶接の有資格者が作業にあたる必要があったが、本発明の下がり壁用野縁受１を使用することにより全ての留め付け作業がビス止めで行える為、溶接の資格のない作業員でも留め付け作業が出来るようになる。また、使用中の建物の改装や改築工事など、溶接作業を行うには耐熱・耐火の養生が必要となる場所でも、本発明の部材を使用することにより養生作業をすることなく下がり壁の施工が可能となる。なお、溶接による留め付けも容易に行うことができる。【０００７】従来手間と時間がかかった下がり壁の施工を容易にする本発明は、施工の速度の向上、ひいては作業コストの低減に繋がる。また平板を基材とする事により、生産段階で曲げ及び孔開け加工が容易になる上、鋼材の量を減らす事が出来、かさばらず軽量で製品の輸送費も抑えることが出来る。
【発明を実施するための最良の形態】
【実施例】
【０００８】例えば［図４］の上部天井と下部天井との間に下がり壁を施工する場合、まず下がり壁用野縁受１の全長を上部天井のチャンネル２ａの上端から下部天井のチャンネル２ｂの下端間の距離＋１０ミリメートル程度に必要数量を切断し、仕上げ材に応じて上部天井のチャンネル２ａにつけられた位置決め用通り墨１１に合わせて、［図１］のように上部天井のチャンネル２ａのウェブ部に添わせる形で吊り下げる。鋼製天井の性質上、チャンネル２ａは９００ミリメートル内外のピッチで施工されているので、下がり壁が必要な部分の上部天井のチャンネル２ａ全てに下がり壁用野縁受１を吊り下げる。この事により、下部天井の下がり壁側端に開口部を上向きに施工されているダブル野縁３ｂの開口部に平板部１ｂの下端が入れ込まれた状態になる。【０００９】本固定はまず下部天井の下がり壁側端に施工されているダブル野縁３ｂの下がり壁から離れた側のリップ部１３に下がり壁用野縁受１を軽く当てながら下部天井の野縁受チャンネル２ｂにビスにて留め付ける。それにより［図８］のように下がり壁用野縁受１にこの後で固定されるシングル野縁４ｃの仕上材貼面１５と、下がり天井の仕上げ材の厚みを控えて固定されている下部天井のダブル野縁３ｂの下がり壁側側面１４とが垂直方向で揃う為、下部天井のチャンネル２ｂに下がり壁用野縁受の位置決め用の通り墨１１を付ける必要はない。次に、上部天井のチャンネル２ａに付けられた下がり壁用野縁受の位置決め用の通り墨１１に合わせて上部天井のチャンネル２ａに下がり壁用野縁受１をビスにて留め付ける。【００１０】最後に下がり壁用野縁受１に下がり壁のシングル野縁４ｃ、ダブル野縁（図示せず）を然るべき間隔に留めつけて下がり壁の下地が完成する。【００１１】尚、ハンガー部の形状は［図６］のようにチャンネルのフランジのみに引っ掛ける形状以外に、［図９］のようにチャンネル全体を巻き込む形に成型する事も可能である。この場合、当部材を下方に引き下げてハンガー部のバネ性によりチャンネル全体を挟み込む事により、より強固に仮固定することができる。
【図面の簡単な説明】
【００１２】
【図１】本発明の部材により形成された下がり壁の構造を示した斜視図である。
【図２】一般的な天井下地の構造を示した斜視図である。
【図３】上下段の天井と配管、配線類の位置関係を示した側面図である。
【図４】二段の天井に下がり壁を形成する前の状態を示した斜視図である。
【図５】従来の方法で形成された下がり壁を示した側面図である。
【図６】本発明に係る下がり壁用野縁受の外観斜視図である。
【図７】本発明の部材をチャンネルに仮固定する方法を示す説明図である。
【図８】本発明の部材により形成された下がり壁を示した側面図である。
【図９】ハンガー部の形状を変えた下がり壁用野縁受の外観斜視図である。
【符号の説明】
【００１３】１    下がり壁用野縁受
１ａ  ハンガー部
１ｂ  平板部
１ｃ  ビス止め用リード孔
２    天井用チャンネル
２ａ  上段天井のチャンネル
２ｂ  下段天井のチャンネル
２ｃ  下がり壁用チャンネル
３    ダブル野縁
３ａ  上段天井のダブル野縁
３ｂ  下段天井のダブル野縁
４    シングル野縁
４ａ  上段天井のシングル野縁
４ｂ  下段天井のシングル野縁
４ｃ  下がり壁のシングル野縁
５    吊りボルト
６    ハンガー
７ａ  上段天井の仕上げ材
７ｂ  下段天井の仕上げ材
７ｃ  下がり壁の仕上げ材
８    上段天井
９    下段天井
１０  配管、配線類
１１  位置決め用通り墨
１２  溶接痕
１３  ダブル野縁のリップ部
１４  ダブル野縁の下がり壁側側面
１５  仕上げ材貼面
【図１】
2009002129.tif 000003
【図２】
2009002129.tif 000004
【図３】
2009002129.tif 000005
【図４】
2009002129.tif 000006
【図５】
2009002129.tif 000007
【図６】
2009002129.tif 000008
【図７】
2009002129.tif 000009
【図８】
2009002129.tif 000010
【図９】
2009002129.tif 000011